(57)【要約】【課題】無線通信端末装置が同じＤＡＩを繰り返し検出した場合においても、遅延の増加及びスループットの低下を改善する無線通信端末装置及び再送制御方法を提供する。【解決手段】ＡＣＫ／ＮＡＣＫビット状態管理部１０５は、ＡＣＫ／ＮＡＣＫビットの設定状態を「未設定」または「設定済」として管理し、検出したＤＡＩに対応するＡＣＫ／ＮＡＣＫビットが「設定済」である場合には、ＤＬデータの復号結果にかかわらず、再送を要求するＮＡＣＫを設定する。ＡＣＫ／ＮＡＣＫビット生成部１０６は、ＡＣＫ／ＮＡＣＫビット状態管理部１０５の設定に従って、ＡＣＫ／ＮＡＣＫビットを生成する。【選択図】図４
2013110591.tif 000002
【特許請求の範囲】
【請求項１】
下りリンクデータと、複数の前記下りリンクデータの復号結果を複数のビットからなるＡＣＫ／ＮＡＣＫビットに対応付ける制御情報とを受信する受信手段と、
前記ＡＣＫ／ＮＡＣＫビットの設定状態を管理し、設定済みのＡＣＫ／ＮＡＣＫビットに対して、繰り返しＡＣＫ又はＮＡＣＫの設定を指示する前記制御情報を受信した場合、該当するビットにＮＡＣＫを設定するＡＣＫ／ＮＡＣＫビット状態管理手段と、
前記ＡＣＫ／ＮＡＣＫビット状態管理手段の設定に従って、前記ＡＣＫ／ＮＡＣＫビットを生成するＡＣＫ／ＮＡＣＫビット生成手段と、
生成された前記ＡＣＫ／ＮＡＣＫビットを無線通信基地局装置に送信する送信手段と、
を具備する無線通信端末装置。
【請求項２】
前記ＡＣＫ／ＮＡＣＫビット状態管理手段は、ＡＣＫ／ＮＡＣＫビットの設定回数と、前記下りリンクデータの復号結果の履歴情報とを管理し、検出したＤＡＩに対応するＡＣＫ／ＮＡＣＫビットの設定回数が１であり、現在の下りリンクデータ復号結果と前記履歴情報とのいずれか一方が復号成功であり、他方が復号失敗である場合には、前記制御情報を破棄し、該当するビットにＡＣＫを設定する請求項１に記載の無線通信端末装置。
【請求項３】
前記制御情報は、ＤＡＩ（Downlink Assignment Index）である請求項１又は請求項２に記載の無線通信端末装置。
【請求項４】
下りリンクデータと、複数の前記下りリンクデータの復号結果を複数のビットからなるＡＣＫ／ＮＡＣＫビットに対応付ける制御情報とを受信する受信工程と、
前記ＡＣＫ／ＮＡＣＫビットの設定状態を管理し、設定済みのＡＣＫ／ＮＡＣＫビットに対して、繰り返しＡＣＫ又はＮＡＣＫの設定を指示する前記制御情報を受信した場合、該当するビットにＮＡＣＫを設定するＡＣＫ／ＮＡＣＫビット状態管理工程と、
前記ＡＣＫ／ＮＡＣＫビット状態管理工程における設定に従って、前記ＡＣＫ／ＮＡＣＫビットを生成するＡＣＫ／ＮＡＣＫビット生成工程と、
生成された前記ＡＣＫ／ＮＡＣＫビットを無線通信基地局装置に送信する送信工程と、
を具備する再送制御方法。
【発明の詳細な説明】
【技術分野】
【０００１】
本発明は、ＬＴＥ（Long Term Evolution）のＴＤＤ（Time Division Duplex）方式における物理レイヤの上りリンクＡＣＫ／ＮＡＣＫ（ACKnowledgement/Negative ACKnowledgement）送信を行う無線通信端末装置及び再送制御方法に関する。
【背景技術】
【０００２】
非特許文献１には、ＬＴＥのＴＤＤ方式において、複数の下りリンクデータ（以下、「ＤＬデータ」という）の復号結果として、ＡＣＫ／ＮＡＣＫを１回で送信する動作が定義されている。複数のＤＬデータ復号結果をＡＣＫ／ＮＡＣＫの各ビットに割り当てる方法がいくつか定義されているが、その一つに、ＤＬデータと共に、基地局から通知されるＤＡＩ（Downlink Assignment Index）と呼ばれる制御情報を用いる方法がある。
【０００３】
ＤＡＩは、ＰＤＣＣＨ（Physical Downlink Control Channel）と呼ばれる下りリンク制御チャネルによって通知される２ビットの制御情報である。基地局は、ＤＬデータを無線通信端末装置（以下、「端末」という）に送信する際、ＤＡＩを一緒に送信することにより、ＤＬデータ復号結果に対応するＡＣＫ／ＮＡＣＫビットを指定する。これにより、基地局は、複数ビットからなるＡＣＫ／ＮＡＣＫビットが端末から返送された際、端末での復号に失敗したＤＬデータを判定し、再送することができる。ＤＬデータとＡＣＫ／ＮＡＣＫビットとを対応付ける方法はこれ以外にも存在するが、ここでは、ＤＡＩを用いる方法について説明する。
【０００４】
この方法では、ＡＣＫ／ＮＡＣＫビットをＯＡＣＫｎ（ｎ＝０，…，ＯＡＣＫ−１）と表現すると、ＯＡＣＫＤＡＩにＤＬデータ復号結果を割り当てる。ここで、ｎはＡＣＫ／ＮＡＣＫビット番号であり、ＯＡＣＫはＡＣＫ／ＮＡＣＫビット数である。ただし、ＳＰＳ（Semi Persistent Scheduling）と呼ばれるＤＡＩの通知がない受信データのスケジューリング方式においては、ＯＡＣＫＯＡＣＫ−１にＤＬデータ復号結果を割り当てる。
【０００５】
図１は、非特許文献１に記載の上りリンクＡＣＫ／ＮＡＣＫの送信手順を示すシーケンス図である。ここでは、３ビットのＡＣＫ／ＮＡＣＫを送信する場合を例に説明する。図１において、ステップ（以下、「ＳＴ」と省略する）１１では、端末は基地局からＤＡＩ＝０でＤＬデータ１を受信するため、使用するＡＣＫ／ＮＡＣＫビットはＯＡＣＫ０となり、ＳＴ１２において、端末は復号に成功したため、ＯＡＣＫ０には復号成功を示す１（ＡＣＫ）を設定する。
【０００６】
ＳＴ１３では、端末は基地局からＤＡＩ＝１でＤＬデータ２を受信するため、使用するＡＣＫ／ＮＡＣＫビットはＯＡＣＫ１となり、ＳＴ１４において、端末は復号に失敗したため、ＯＡＣＫ１には復号失敗を示す０（ＮＡＣＫ）を設定する。
【０００７】
ＳＴ１５では、端末は基地局からＤＡＩ＝２でＤＬデータ３を受信するため、使用するＡＣＫ／ＮＡＣＫビットはＯＡＣＫ２となり、ＳＴ１６では、端末は復号に成功したため、ＯＡＣＫ２には復号成功を示す１（ＡＣＫ）を設定する。
【０００８】
ＳＴ１７では、端末は、ＡＣＫ／ＮＡＣＫビットをＭＳＢ（Most Significant Bit）詰め３ビット（ＯＡＣＫ０，ＯＡＣＫ１，ＯＡＣＫ２）＝（１，０，１）で基地局に送信する。
【先行技術文献】
【非特許文献】
【０００９】
【非特許文献１】3GPP Organizational Partners, "TS36.213 V9.3.0(2010-09) Physical layer procedures", 2010
【発明の概要】
【発明が解決しようとする課題】
【００１０】
しかしながら、上述した上りリンクＡＣＫ／ＮＡＣＫの送信手順では、同じＤＡＩが繰り返し検出された場合に、上りリンクＡＣＫ／ＮＡＣＫを正確に送信できないという問題がある。以下、図２を用いて具体的に説明する。
【００１１】
図２は、同じＤＡＩが繰り返し検出された場合における非特許文献１に記載の上りリンクＡＣＫ／ＮＡＣＫの送信手順を示すシーケンス図である。なお、図２において、図１と共通する処理には同一の符号を付し、重複する説明は省略する。この例では、ＳＴ１３において、ＤＡＩ＝１が通知された後、ＳＴ２１において、ＤＡＩ＝１が繰り返し通知されている。
【００１２】
ＳＴ１３におけるＤＡＩ＝１により、ＳＴ１４では、ＯＡＣＫ１に０（ＮＡＣＫ）が設定されているが、ＳＴ２２では、端末は復号に成功したため、ＯＡＣＫ１に１（ＡＣＫ）が設定される。このため、ＳＴ２３で送信されるＡＣＫ／ＮＡＣＫビットは、（ＯＡＣＫ０，ＯＡＣＫ１，ＯＡＣＫ２）＝（１，０，１）となるべきところ、ＯＡＣＫ１＝０がＯＡＣＫ１＝１に上書きされて（ＯＡＣＫ０，ＯＡＣＫ１，ＯＡＣＫ２）＝（１，１，０）となっている。ただし、ＯＡＣＫ２は初期値としての０が設定されている。
【００１３】
すなわち、実際には、基地局が意図するＤＡＩ＝１のＤＬデータの復号に失敗しているにもかかわらず、基地局は、ＤＡＩ＝１に対応するＤＬデータの復号は成功していると認識する。この結果、物理レイヤで正しく伝達されなかったＤＬデータは、上位レイヤ（ＲＬＣ：Radio Link Control）で再送されることになる。
【００１４】
このように、基地局での制御誤り、または端末での受信誤りなどの影響により、端末が同じＤＡＩを繰り返し検出した場合、端末はすでに設定を行ったＡＣＫ／ＮＡＣＫビットを変更することがある。これにより、上位レイヤでの再送が発生し、端末がデータを受信するまでの遅延の増加及びオーバヘッド増大によるスループットの低下が発生するという問題がある。
【００１５】
本発明の目的は、無線通信端末装置が同じＤＡＩを繰り返し検出した場合においても、遅延の増加及びスループットの低下を改善する無線通信端末装置及び再送制御方法を提供することである。
【課題を解決するための手段】
【００１６】
本発明の無線通信端末装置は、下りリンクデータと、複数の前記下りリンクデータの復号結果を複数のビットからなるＡＣＫ／ＮＡＣＫビットに対応付ける制御情報とを受信する受信手段と、前記ＡＣＫ／ＮＡＣＫビットの設定状態を管理し、設定済みのＡＣＫ／ＮＡＣＫビットに対して、繰り返しＡＣＫ又はＮＡＣＫの設定を指示する前記制御情報を受信した場合、該当するビットにＮＡＣＫを設定するＡＣＫ／ＮＡＣＫビット状態管理手段と、前記ＡＣＫ／ＮＡＣＫビット状態管理手段の設定に従って、前記ＡＣＫ／ＮＡＣＫビットを生成するＡＣＫ／ＮＡＣＫビット生成手段と、生成された前記ＡＣＫ／ＮＡＣＫビットを無線通信基地局装置に送信する送信手段と、を具備する構成を採る。
【００１７】
本発明の再送制御方法は、下りリンクデータと、複数の前記下りリンクデータの復号結果を複数のビットからなるＡＣＫ／ＮＡＣＫビットに対応付ける制御情報とを受信する受信工程と、前記ＡＣＫ／ＮＡＣＫビットの設定状態を管理し、設定済みのＡＣＫ／ＮＡＣＫビットに対して、繰り返しＡＣＫ又はＮＡＣＫの設定を指示する前記制御情報を受信した場合、該当するビットにＮＡＣＫを設定するＡＣＫ／ＮＡＣＫビット状態管理工程と、前記ＡＣＫ／ＮＡＣＫビット状態管理工程における設定に従って、前記ＡＣＫ／ＮＡＣＫビットを生成するＡＣＫ／ＮＡＣＫビット生成工程と、生成された前記ＡＣＫ／ＮＡＣＫビットを無線通信基地局装置に送信する送信工程と、を具備するようにした。
【発明の効果】
【００１８】
本発明によれば、端末が同じＤＡＩを繰り返し検出した場合においても、物理レイヤでの再送を促し、上位レイヤでの再送の発生を抑制することにより、遅延の増加及びスループットの低下を改善することができる。
【図面の簡単な説明】
【００１９】
【図１】非特許文献１に記載の上りリンクＡＣＫ／ＮＡＣＫの送信手順を示すシーケンス図
【図２】同じＤＡＩが繰り返し検出された場合における非特許文献１に記載の上りリンクＡＣＫ／ＮＡＣＫの送信手順を示すシーケンス図
【図３】本発明の実施の形態１に係る端末の構成を示すブロック図
【図４】本発明の実施の形態１に係る上りリンクＡＣＫ／ＮＡＣＫの送信手順を示すシーケンス図
【図５】本発明の実施の形態２に係る端末の構成を示すブロック図
【発明を実施するための形態】
【００２０】
以下、本発明の実施の形態について、図面を参照して詳細に説明する。
【００２１】
（実施の形態１）
図３は、本発明の実施の形態１に係る端末１００の構成を示すブロック図である。以下、図３を用いて端末１００の構成について説明する。この図において、無線受信部１０２は、基地局から送信されたＤＡＩを含む下りリンク制御情報（以下、「ＤＬ制御情報」という）及びＤＬデータをアンテナ１０１から受信し、受信した無線周波数のこれらの信号をベースバンド信号に変換する。変換されたベースバンド信号は復調部１０３に出力される。復調部１０３は、無線受信部１０２から出力されたベースバンド信号を復調し、復調信号を復号部１０４に出力する。復号部１０４は、復調部１０３から出力された復調信号を復号し、復号により得られたＤＬデータ復号結果（「復号成功」または「復号失敗」）及びＤＡＩをＡＣＫ／ＮＡＣＫビット状態管理部１０５に出力する。
【００２２】
ＡＣＫ／ＮＡＣＫビット状態管理部１０５は、復号部１０４から出力されたＤＡＩに対応するＡＣＫ／ＮＡＣＫビットが設定済みか否かを示すＡＣＫ／ＮＡＣＫビット状態（「未設定」または「設定済」）を管理する。各ビットの初期状態は「未設定」とする。
【００２３】
具体的には、ＡＣＫ／ＮＡＣＫビット状態管理部１０５は、復号部１０４から出力されたＤＡＩに基づいて、ＤＬデータ復号結果を設定するＡＣＫ／ＮＡＣＫビットのビット番号ｎを求める。ビット番号ｎのＡＣＫ／ＮＡＣＫビット状態が「未設定」の場合には、ＡＣＫ／ＮＡＣＫビット状態を「設定済」に変更し、復号部１０４から出力されたＤＬデータ復号結果とビット番号ｎとをＡＣＫ／ＮＡＣＫビット生成部１０６に出力する。一方、ビット番号ｎのＡＣＫ／ＮＡＣＫビット状態が「設定済」の場合には、復号部１０４から出力されたＤＬデータ復号結果にかかわらず、新たにＤＬデータ復号結果として「復号失敗」を設定し、設定したＤＬデータ復号結果とビット番号ｎとをＡＣＫ／ＮＡＣＫビット生成部１０６に出力する。
【００２４】
また、ＡＣＫ／ＮＡＣＫビット状態管理部１０５は、ＡＣＫ／ＮＡＣＫビット生成部１０６からＡＣＫ／ＮＡＣＫビット生成完了の通知を受けると、各ＡＣＫ／ＮＡＣＫビットの状態を「未設定」の状態に初期化する。
【００２５】
ＡＣＫ／ＮＡＣＫビット生成部１０６は、ＡＣＫ／ＮＡＣＫビット状態管理部１０５から出力されたＤＬデータ復号結果とビット番号ｎとに基づいて、ＡＣＫ／ＮＡＣＫビットを生成する。ＡＣＫ／ＮＡＣＫビット生成部１０６は、ＤＬデータ復号結果が「復号成功」の場合には、ＯＡＣＫｎに１（ＡＣＫ）を設定し、「復号失敗」の場合には、ＯＡＣＫｎに０（ＮＡＣＫ）を設定する。ＡＣＫ／ＮＡＣＫビット生成部１０６は、ＡＣＫ／ＮＡＣＫビットの生成が完了すると、生成したＡＣＫ／ＮＡＣＫビットを符号化部１０７に出力すると共に、ＡＣＫ／ＮＡＣＫビット状態管理部１０５に生成完了の通知を行う。
【００２６】
符号化部１０７は、ＡＣＫ／ＮＡＣＫビット生成部１０６から出力されたＡＣＫ／ＮＡＣＫビットを符号化し、符号化データを変調部１０８に出力する。変調部１０８は、符号化部１０７から出力された符号化データを変調し、変調信号を無線送信部１０９に出力する。無線送信部１０９は、変調部１０８から出力された変調信号を無線周波数の送信信号に変換し、アンテナ１０１を通して基地局に送信する。
【００２７】
図４は、本発明の実施の形態１に係る上りリンクＡＣＫ／ＮＡＣＫの送信手順を示すシーケンス図である。この図において、ＳＴ２０１では、端末は基地局からＤＡＩ＝０でＤＬデータ１を受信するため、使用するＡＣＫ／ＮＡＣＫビットはＯＡＣＫ０となる。
【００２８】
ＳＴ２０２では、ＯＡＣＫ０の状態が「未設定」であり、端末は復号に成功したため、ＯＡＣＫ０には復号成功を示す１（ＡＣＫ）を設定すると共に、ＯＡＣＫ０の状態を「設定済」に変更する。
【００２９】
ＳＴ２０３では、端末は基地局からＤＡＩ＝１でＤＬデータ２を受信するため、使用するＡＣＫ／ＮＡＣＫビットはＯＡＣＫ１となる。
【００３０】
ＳＴ２０４では、ＯＡＣＫ１の状態が「未設定」であり、端末は復号に失敗したため、ＯＡＣＫ１には復号失敗を示す０（ＮＡＣＫ）を設定すると共に、ＯＡＣＫ１の状態を「設定済」に変更する。
【００３１】
ＳＴ２０５では、端末は基地局からＤＡＩ＝１でＤＬデータ３を受信したため、使用するＡＣＫ／ＮＡＣＫビットはＯＡＣＫ１となるが、ＳＴ２０６では、ＯＡＣＫ１の状態が「設定済」のため、端末は復号に成功しているものの、ＯＡＣＫ１には０（ＮＡＣＫ）を設定する。
【００３２】
ＳＴ２０７では、端末は、ＡＣＫ／ＮＡＣＫビット（ＯＡＣＫ０，ＯＡＣＫ１，ＯＡＣＫ２）＝（１，０，０）を基地局に送信し、ＳＴ２０８では、端末はＡＣＫ／ＮＡＣＫビットの各ビットの状態を初期化（全て「未設定」に変更）する。
【００３３】
このように、実施の形態１によれば、ＡＣＫ／ＮＡＣＫビットの設定状態を「未設定」または「設定済」として管理し、検出したＤＡＩに対応するＡＣＫ／ＮＡＣＫビットが「設定済」である場合には、ＤＬデータの復号結果にかかわらず、再送を要求するＮＡＣＫを設定することにより、ＤＡＩを繰り返し検出した場合においても、物理レイヤでの再送を促し、上位レイヤでの再送の発生を抑制することができる。この結果、端末がデータを受信するまでの遅延の増加及びオーバヘッド増大によるスループットの低下を改善することができる。
【００３４】
（実施の形態２）
実施の形態１では、ＤＡＩを繰り返し検出する状況として、基地局での「制御誤り」と端末での「受信誤り」を想定しているが、端末での「受信誤り」が生じたＤＬ制御情報は本来破棄すべきものと考えられる。以下、この理由について説明する。
【００３５】
ＰＤＣＣＨによって端末に通知されるＤＬ制御情報は、１６ビットのＣＲＣ及び端末毎に割り当てられたＩＤが付加されている。端末は、複数個のＤＬ制御情報を網羅的に復号し、ＣＲＣ及びＩＤが一致したＤＬ制御情報を自局宛のＤＬ制御情報としてＤＬデータの受信、及び、ＡＣＫ／ＮＡＣＫの送信に用いる。ここで、端末での「受信誤り」とは、他局宛てのＤＬ制御情報を復号した際に、受信誤りによってＣＲＣ及びＩＤが偶然一致し、他局宛てのＤＬ制御情報を自局宛のＤＬ制御情報として受信することを指す。
【００３６】
誤ったＤＬ制御情報を使用して、ＤＬデータの受信及びＡＣＫ／ＮＡＣＫの送信を行うことは、基地局の意図しない動作となるため、端末で誤ったＤＬ制御情報を受信したと判断した場合には、そのＤＬ制御情報を破棄することが基地局の意図する動作になると考えられる。
【００３７】
そこで、本発明の実施の形態２では、端末での「受信誤り」が生じたＤＬ制御情報（ＤＡＩ）及びＤＬデータ復号結果を破棄する場合について説明する。
【００３８】
図５は、本発明の実施の形態２に係る端末３００の構成を示すブロック図である。ただし、図５において、図３と共通する部分には、図３と同一の符号を付し、重複する説明は省略する。図５が図３と異なる点は、ＡＣＫ／ＮＡＣＫビット状態管理部１０５をＡＣＫ／ＮＡＣＫビット設定回数管理部３０１に変更した点である。
【００３９】
ＡＣＫ／ＮＡＣＫビット設定回数管理部３０１は、ＡＣＫ／ＮＡＣＫビット設定回数を管理する。ＡＣＫ／ＮＡＣＫビット設定回数は、ＡＣＫ／ＮＡＣＫビット数分有するものとし、初期値を０とする。また、ＡＣＫ／ＮＡＣＫビット設定回数管理部３０１は、ＤＬデータ復号結果の履歴情報を管理する。復号結果履歴情報は、ＡＣＫ／ＮＡＣＫビット数分の記憶領域を有し、初期状態を「未設定」とする。ＡＣＫ／ＮＡＣＫビット設定回数管理部３０１は、ＡＣＫ／ＮＡＣＫビット設定回数によって処理が異なるため、設定回数０、１、２回以上の３つに分けて、以下に具体的に説明する。
【００４０】
ＡＣＫ／ＮＡＣＫビット設定回数管理部３０１は、復号部１０４から出力されたＤＡＩに基づいて、ＡＣＫ／ＮＡＣＫビットのビット番号ｎを求める。ビット番号ｎのＡＣＫ／ＮＡＣＫビット設定回数が０の場合には、ＡＣＫ／ＮＡＣＫビット設定回数をインクリメントし、復号結果履歴情報にＤＬデータ復号結果（「復号失敗」または「復号成功」）を記録して、復号部１０４から出力されたＤＬデータ復号結果とビット番号ｎとをＡＣＫ／ＮＡＣＫビット生成部１０６に出力する。
【００４１】
また、ＡＣＫ／ＮＡＣＫビット設定回数管理部３０１は、ビット番号ｎのＡＣＫ／ＮＡＣＫビット設定回数が１の場合には、ＡＣＫ／ＮＡＣＫビット設定回数をインクリメントし、ビット番号ｎの復号結果履歴情報を参照する。このとき、現在のＤＬデータ復号結果が「復号成功」で、かつ、ビット番号ｎの復号結果履歴情報が「復号失敗」の場合、及び、現在のＤＬデータ復号結果が「復号失敗」で、かつ、ビット番号ｎの復号結果履歴情報が「復号成功」の場合、ＡＣＫ／ＮＡＣＫビット設定回数管理部３０１は、ＡＣＫ生成指示とビット番号ｎとをＡＣＫ／ＮＡＣＫビット生成部１０６に出力する。
【００４２】
このように、現在のＤＬデータ復号結果と復号結果履歴情報とのいずれか一方が「復号成功」であり、他方が「復号失敗」である場合には、端末での「受信誤り」が発生し、ＤＬ制御情報も誤っていると判断して、これを破棄する。また、このとき、復号に失敗したＤＬデータは自局宛ではないため、ＡＣＫ／ＮＡＣＫビット設定回数管理部３０１は、復号に成功した一方の復号結果をもってＡＣＫの生成を指示する。これにより、無駄な再送の発生を抑制することができる。
【００４３】
また、ビット番号ｎのＡＣＫ／ＮＡＣＫビット設定回数が１であり、現在のＤＬデータ復号結果とビット番号ｎの復号結果履歴情報がいずれも「復号成功」、またはいずれも「復号失敗」の場合には、基地局での「制御誤り」が発生していると判断し、ＡＣＫ／ＮＡＣＫビット設定回数管理部３０１は、ＮＡＣＫ生成指示とビット番号ｎとをＡＣＫ／ＮＡＣＫビット生成部１０６に出力する。
【００４４】
また、ＡＣＫ／ＮＡＣＫビット設定回数管理部３０１は、ビット番号ｎのＡＣＫ／ＮＡＣＫビット設定回数が２以上の場合には、ＡＣＫ／ＮＡＣＫビット設定回数をインクリメントし、ＮＡＣＫ生成指示とビット番号ｎとをＡＣＫ／ＮＡＣＫビット生成部１０６に出力する。
【００４５】
ここでは、ＡＣＫ／ＮＡＣＫビット設定回数が２以上の場合には、２回以上連続して端末での「受信誤り」が発生する確率は十分に低いと想定されるため、基地局での「制御誤り」が発生していると判断し、ＮＡＣＫ生成を指示している。
【００４６】
ＡＣＫ／ＮＡＣＫビット設定回数管理部３０１は、ＡＣＫ／ＮＡＣＫビット生成部１０６からＡＣＫ／ＮＡＣＫビット生成完了の通知を受けると、ＡＣＫ／ＮＡＣＫビット設定回数と復号結果履歴情報とを初期化する。
【００４７】
ここで、ＡＣＫ／ＮＡＣＫビット設定回数毎のＤＬデータ復号結果と、ＡＣＫ／ＮＡＣＫ生成指示とを表１にまとめる。ＡＣＫ／ＮＡＣＫビット設定回数管理部３０１は表１を有しているものとする。なお、比較のため、ＡＣＫ／ＮＡＣＫ生成指示は従来及び実施の形態１についても記載した。
【表１】
2013110591.tif 000003
【００４８】
ただし、表１において、○は復号成功を、×は復号失敗を、−は設定なしを、ＡはＡＣＫを、ＮはＮＡＣＫをそれぞれ表している。
【００４９】
このように、実施の形態２によれば、ＡＣＫ／ＮＡＣＫビットの設定回数と、ＤＬデータ復号結果の履歴情報とを管理し、検出したＤＡＩに対応するＡＣＫ／ＮＡＣＫビットの設定回数が１であり、現在のＤＬデータ復号結果と復号結果履歴情報とのいずれか一方が「復号成功」であり、他方が「復号失敗」である場合には、ＤＬ制御情報を破棄し、ＡＣＫを設定することにより、再送の発生を抑制することができ、ＤＡＩを繰り返し検出した場合においても、物理レイヤ及び上位レイヤでの再送の発生を抑制することができる。
【００５０】
なお、本実施の形態におけるＡＣＫ／ＮＡＣＫビット設定回数管理部３０１は、ＡＣＫ／ＮＡＣＫビット状態管理手段として機能する。
【産業上の利用可能性】
【００５１】
本発明にかかる無線通信端末装置及び再送制御方法は、例えば、ＬＴＥのＴＤＤ通信システムに適用できる。
【符号の説明】
【００５２】
１０１  アンテナ
１０２  無線受信部
１０３  復調部
１０４  復号部
１０５  ＡＣＫ／ＮＡＣＫビット状態管理部
１０６  ＡＣＫ／ＮＡＣＫビット生成部
１０７  符号化部
１０８  変調部
１０９  無線送信部
３０１  ＡＣＫ／ＮＡＣＫビット設定回数管理部
【図１】
2013110591.tif 000004
【図２】
2013110591.tif 000005
【図３】
2013110591.tif 000006
【図４】
2013110591.tif 000007
【図５】
2013110591.tif 000008